【手続補正書】
【提出日】平成17年9月13日(2005.9.13)
【手続補正１】
【補正対象書類名】明細書
【補正対象項目名】特許請求の範囲
【補正方法】変更
【補正の内容】
【特許請求の範囲】【請求項１】  行と列に配列された光電変換素子を備えた複数の画素を有する撮像面を有し、  該複数の画素における光電変換素子の各々には所定の色のカラーフィルタが配され、これらの素子が特定の色配列となるように配置されており、  前記複数の画素は、前記行方向に配列された画素が複数の垂直走査信号線の一つに共通に接続され、この垂直走査信号線を順次選択する回路を有し、該選択する回路により一つの前記垂直走査信号線を選択することにより、該垂直走査信号線に接続された複数の画素を共通して選択するようになっており、  前記複数の画素は、前記列方向に配列された画素が複数の信号出力線の一つに共通に接続され、一つの前記垂直走査信号線の選択により、選択された前記行における複数の画素からの信号を前記各信号出力線に同時に出力するようにされた固体撮像装置であって、  該固体撮像装置における単位画素は、前記光電変換素子に光を照射することによって前記画素毎に蓄積された光発生電荷量に応じて生成された光信号成分と前記単位画素に固有のノイズ成分とを含む、光電気信号としての第１の信号成分Ｖｓを前記信号出力線に出力するとともに、前記画素に蓄積された光発生電荷を初期化した状態において得た前記単位画素に固有のノイズ成分からなる、誤差信号としての第２の信号成分Ｖｎを前記信号出力線に出力する画素であって、  前記各信号出力線に接続された信号出力回路を有し、該信号出力回路は、前記各信号出力線に出力された第１の信号成分Ｖｓから前記第２の信号成分Ｖｎを減算して、前記光信号成分を出力するようにした固体撮像装置において、  前記信号出力回路は、更に、前記垂直走査信号線により行方向に選択された複数の画素のうち、隣接する複数の前記信号出力線に接続された同一色の画素からの信号を混合して、混合された光信号成分を出力するようにしたことを特徴とする固体撮像装置。  【請求項２】  前記信号出力回路は、更に、隣接する前記複数の垂直走査信号線に順次接続された複数の画素のうち、同一の前記信号出力線及び前記隣接する信号出力線に接続された複数の同一色の画素からの信号を混合して、混合された光信号成分を出力するようにしたことを特徴とする請求項１記載の固体撮像装置。  【請求項３】  前記信号出力回路は、前記隣接する複数の垂直走査信号線及び隣接する複数の信号出力線に接続された複数の画素は、サンプリンググループを構成し、該サンプリンググループ内の複数の同一色の画素からの信号を混合して出力するようになっており、前記サンプリンググループは前記撮像面に複数配置されるように構成されていることを特徴とする請求項２記載の固体撮像装置。  【請求項４】  前記信号出力回路は、前記撮像面に所定の色配列となるように配置されたすべての種類の同一色の画素からの信号の複数を個別に混合して、混合された光信号成分を出力するようにしたことを特徴とする請求項１乃至３の何れか一に記載の固体撮像装置。【手続補正２】
【補正対象書類名】明細書
【補正対象項目名】０００１
【補正方法】変更
【補正の内容】
【０００１】  【発明の属する技術分野】  本発明は、固体撮像装置に関し、より詳しくは、ビデオカメラ、電子カメラ、画像入力カメラ、スキャナ又はファクシミリ等に用いられるＭＯＳ型イメージセンサを備えた固体撮像装置に関する。【手続補正３】
【補正対象書類名】明細書
【補正対象項目名】０００３
【補正方法】変更
【補正の内容】
【０００３】  このような世の中の動向に鑑み、本願発明者らはＭＯＳ型イメージセンサの改良を行い、キャリアポケット（高濃度埋込層）を有する閾値変調型センサ素子を提案した（特許登録番号２９３５４９２号）。  ところで、デジタルスチルカメラやビデオカメラ等では、近年、操作上の利便性から自動露出装置や自動合焦装置を備えたものが多くなっている。このようなデジタルスチルカメラ等では、自動露出や自動合焦を行なうために、実写する前に予めモニタ画像を取り込む必要がある。
【手続補正４】
【補正対象書類名】明細書
【補正対象項目名】０００６
【補正方法】変更
【補正の内容】
【０００６】  本発明は、上記従来技術の問題点に鑑みて創作されたものであり、サンプリング画素に基づいて光電気信号の取り込みを高速に行いつつ、画像の劣化を抑制することができる固体撮像装置を提供するものである。
【手続補正５】
【補正対象書類名】明細書
【補正対象項目名】００１１
【補正方法】変更
【補正の内容】
【００１１】  なお、サンプリングすべき光電変換素子を含む行に対応する三対以上の第１の記憶手段Ｃｍｓ及び第２の記憶手段Ｃｍｎと対応する三組以上の加算手段とを設けることも可能である。  第３に、図７に示すように、図６と同様に、一列に二対の第１の記憶手段Ｃｍｓ及び第２の記憶手段Ｃｍｎを有し、二組の加算手段７１ａ、７１ｂを有する場合がある。この場合、図６と同様な構成で、一つのサンプリンググループ内に図６の場合よりも多くの画素配列を含むようにしてサンプリングすることも可能である。
【手続補正６】
【補正対象書類名】明細書
【補正対象項目名】００１２
【補正方法】変更
【補正の内容】
【００１２】  第４に、図８に示すように、図６及び図７と同様に、一列に二対の第１の記憶手段Ｃｍｓ及び第２の記憶手段Ｃｍｎを有し、二組の加算手段７１ａ、７１ｂを有する場合がある。この場合、図７と異なり、列に並ぶ光電変換素子１０１の出力と接続する記憶素子を隣接する列同士で入れ替えるスイッチ７３を有している。また、隣接する列で異なる組の加算手段７１ａ、７１ｂ、及び引算手段７２ａ、７２ｂに接続している。
【手続補正７】
【補正対象書類名】明細書
【補正対象項目名】００２７
【補正方法】変更
【補正の内容】
【００２７】  垂直走査信号（ＶＳＣＡＮ）により、遂次、各画素１０１内のＭＯＳトランジスタ１１２を駆動して、水平走査信号（ＨＳＣＡＮ）により誤差信号を含まない映像信号（Ｖout ）が信号出力回路１０５から出力される。
【手続補正８】
【補正対象書類名】明細書
【補正対象項目名】００４３
【補正方法】変更
【補正の内容】
【００４３】  読出期間では、ＭＯＳトランジスタ１１２を動作させて光発生正孔の蓄積量に比例した光電気信号ＶｓとしてＶｐｓを出力し、１行分又は２行分の並びの第１の記憶素子Ｃｍｓに記憶させる。このソース電圧Ｖｐｓは、純粋な光の強度に応じた信号成分の他に、画素固有のノイズ成分である誤差信号成分Ｖｎが含まれている。
【手続補正９】
【補正対象書類名】明細書
【補正対象項目名】００４４
【補正方法】変更
【補正の内容】
【００４４】  次いで、１行分ずつ順次、第１及び第２の記憶素子Ｃｍｓ、Ｃｍｎからそれぞれ光電気信号Ｖｓと誤差信号Ｖｎとを出力し、加算手段７１を通して引算手段７２に入力させる。これにより、ＶｓからＶｎを差し引いた純粋な光信号のみに比例した映像信号を出力する。  次に、画素飛ばしについて説明する。画素飛ばしも上記と同じように掃出期間（初期化期間）−蓄積期間−読出期間−からなる一連の過程を繰り返し行う。
【手続補正１０】
【補正対象書類名】明細書
【補正対象項目名】００６６
【補正方法】変更
【補正の内容】
【００６６】  （第３の実施の形態）  図７を参照してこの発明の第３の実施の形態を説明する。  図７は、第３の実施の形態である固体撮像装置の信号出力回路を示す回路構成図である。  図７に示すように、一列に少なくとも二対の第１の記憶手段Ｃｍｓ及び第２の記憶手段Ｃｍｎを有し、２組の加算回路７１ａ、７１ｂを有することを特徴としている。なお、図７では、上下の加算回路７１ａ、７１ｂにはともに一対ずつの記憶素子しか示していない。
【手続補正１１】
【補正対象書類名】明細書
【補正対象項目名】００６８
【補正方法】変更
【補正の内容】
【００６８】  第３の実施の形態である固体撮像装置においても、カラーフィルタは、緑（Ｇ）と赤（Ｒ）と青（Ｂ）とがベイヤ配列されてなり、行及び列に配列された光電変換素子１０１は複数の色を有するカラーフィルタの各色に対応している。  第１及び第２の実施の形態と同様に、列毎の二対の記憶手段Ｃｍｓ、Ｃｍｎの入力はそれぞれ同一の列内のすべての光電変換素子１０１の出力と接続されている。
【手続補正１２】
【補正対象書類名】図面
【補正対象項目名】図４
【補正方法】変更
【補正の内容】
【図４】
2002165132.tif 000001
【手続補正１３】
【補正対象書類名】図面
【補正対象項目名】図６
【補正方法】変更
【補正の内容】
【図６】
2002165132.tif 000002